(57)【特許請求の範囲】
【請求項１】
使用者の顔面に装着され、電気刺激による施術を行う美容マスクであって、
前記使用者の顔面の略全域を被覆するマスク本体と、前記マスク本体に設けられ、前記使用者の頬に対応する部位に、所定の電流強度を有する前記電気刺激を連続的に付与するための施術波を印加する刺激体と、を備え、
前記刺激体は、前記使用者の顔面に接触する肌面電極と、前記肌面電極に前記施術波を印加する電流発生装置と、前記肌面電極が設けられ、前記マスク本体に当接される導電パッドと、を有し、
前記電流発生装置は、前記施術波の印加における所定の処理を行う処理手段と、前記肌面電極に取付けられる装置側電極と、前記装置側電極に前記施術波を印加するための操作信号を発信する操作手段と、を含み、
前記マスク本体と前記肌面電極とは、別体に構成され、
前記マスク本体には、前記肌面電極が挿通される挿通孔が設けられる美容マスク。
【請求項２】
前記操作手段は、前記電流強度を可変可能とする強度可変手段を含み、
前記処理手段は、前記施術の時間経過に伴い、前記施術波の波形を可変させる波形可変手段を含み、
前記施術波は、前記施術の開始時に印加される初期施術波と、前記初期施術波の印加の後に印加される後続施術波と、を含み、
前記初期施術波により付与される単位時間当たりの前記電気刺激の回数は、前記後続施術波により付与される単位時間当たりの前記電気刺激の回数よりも、少なく構成されている、請求項１に記載の美容マスク。
【請求項３】
前記処理手段は、前記肌面電極の、前記使用者の顔面への接触の有無を検知する検知手段を含む、請求項１又２に記載の美容マスク。
【請求項４】
前記マスク本体は、前記使用者の両耳に係止される一対の耳掛け部を有する、請求項１〜３の何れかに記載の美容マスク。
【請求項５】
前記電流発生装置は、前記マスク本体に着脱可能に取付けられる、請求項１〜４の何れかに記載の美容マスク。
【請求項６】
前記導電パッドは、前記マスク本体に当接される面に、前記肌面電極の裏面を覆うことで前記肌面電極と導通する、金属繊維面を含む、請求項１に記載の美容マスク。
【請求項７】
前記刺激体は、前記電流発生装置を遠隔で制御するリモコン装置を含む、請求項１〜６の何れかに記載の美容マスク。
【発明の詳細な説明】
【技術分野】
【０００１】
本発明は、使用者の顔面に装着して電気刺激を与える美容マスクに関するものである。
【背景技術】
【０００２】
従来から、使用者の頭部の様々な筋肉に電気刺激を与えるための美容マスクが知られている。
【０００３】
例えば、特許文献１には、正しい位置に効果的な刺激を与えると共に、引き締め効果を有する美容マスクに関する発明が記載されている。
【０００４】
この美容マスクは、使用者の頬骨筋に対応する部位に第１の周波数の電気刺激を与える一組の電極を備えた頬骨筋刺激体、又は、使用者の咬筋に対応する部位に第２の周波数の電気刺激を与える一組の電極を備えた咬筋刺激体の少なくともいずれか（以下、刺激体と言う）と、マスク本体とから構成され、マスク本体は、少なくとも鼻の凸形状を基準として位置合わせする鼻当て部と、刺激体を着脱自在に装着するための刺激体装着部と、を備えると共に、刺激体は、電流を制御する制御部と、電気を供給する給電部と、電極と、を一体的に備えた電流発生器で構成されている。
【０００５】
このような構成により、主に鼻当て部を基準として適切な位置に美容マスクを装着することができるようにすると共に、使用者の頬骨筋に対応する部位に電気又は超音波の刺激を与える一対の頬骨筋刺激体によって美容効果の高い頬骨筋を対象としたトリートメントを行うことができる。
【先行技術文献】
【特許文献】
【０００６】
【特許文献１】特開２０２０−１２７７４８号公報
【発明の概要】
【発明が解決しようとする課題】
【０００７】
しかしながら、特許文献１に記載の美容マスクは、顔の下半分のみを覆う形状であることから、顔全体に美容効果を発揮できず、また、左右に突出したバンドを介して顔に取付ける構成であることから、着脱が迅速に行えない、といった問題があった。
【０００８】
本発明は上記のような実状に鑑みてなされたものであり、顔面への美容効果を高め、より利便性を向上させることが可能な美容マスク及びその使用方法を提供することを課題とする。
【課題を解決するための手段】
【０００９】
上記課題を解決するために、本発明は、使用者の顔面に装着され、電気刺激による施術を行う美容マスクであって、
前記使用者の顔面の略全域を被覆するマスク本体と、前記マスク本体に設けられ、前記使用者の頬に対応する部位に、所定の電流強度を有する前記電気刺激を連続的に付与するための施術波を印加する刺激体と、を備え、
前記刺激体は、前記使用者の顔面に接触する肌面電極と、前記肌面電極に前記施術波を印加する電流発生装置と、を有し、
前記電流発生装置は、前記施術波の印加における所定の処理を行う処理手段と、前記肌面電極に取付けられる装置側電極と、前記装置側電極に前記施術波を印加するための操作信号を発信する操作手段と、を含む。
【００１０】
本発明によれば、使用者の顔面の略全域を被覆するマスク本体を備えることから、本美容マスクを着用することで、刺激体から印加される施術波でもって、美容液やローション等が塗布された顔全体に美容効果を発揮することが可能となる。
【００１１】
本発明の好ましい形態では、前記操作手段は、前記電流強度を可変可能とする強度可変手段を含み、
前記処理手段は、前記施術の時間経過に伴い、前記施術波の波形を可変させる波形可変手段を含み、
前記施術波は、前記施術の開始時に印加される初期施術波と、前記初期施術波の印加の後に印加される後続施術波と、を含み、
前記初期施術波により付与される単位時間当たりの前記電気刺激の回数は、前記後続施術波により付与される単位時間当たりの前記電気刺激の回数よりも、少なく構成されている。
【００１２】
このような構成とすることで、使用者は、より緩やかな施術を行う初期施術波の印加時に、強度可変手段により電流強度を可変させることができる。これにより、使用者は、例えば施術の開始時に誤って高い電流強度に設定した場合であっても、この電流強度に基づいて、より激しい施術を行う後続施術波が出力される前に、適切な電流強度に調整することができ、本美容マスクの使用時の安全性が向上する。
【００１３】
本発明の好ましい形態では、前記強度可変手段は、前記電流強度を、それぞれに所定の前記電流強度が設定された複数の段階に可変可能に構成され、
前記処理手段は、リセット手段を含み、
前記リセット手段は、前記後続施術波の出力時に、前記強度可変手段により前記電流強度が可変されると、前記電流強度を、前記複数の段階の内、最小の段階に設定された前記電流強度に可変する。
【００１４】
このような構成とすることで、電気刺激の付与中に、強度可変手段の誤操作により急激に高い電流強度に可変される事態を防止することができ、本美容マスクの使用時の安全性が、より向上する。
【００１５】
本発明の好ましい形態では、前記処理手段は、前記肌面電極の、前記使用者の顔面への接触の有無を検知する検知手段を含む。
【００１６】
このような構成とすることで、使用者は、肌面電極が正しく顔面に接触しているか否かを容易に判断できるため、本美容マスクの利便性が向上する。
【００１７】
本発明の好ましい形態では、前記マスク本体は、前記使用者の両耳に係止される一対の耳掛け部を有する。
【００１８】
このような構成とすることで、通常の所謂サージカルマスク等と同様の流れで、簡易に本美容マスクの着脱を行うことができ、本美容マスクの利便性が向上する。
【００１９】
本発明の好ましい形態では、前記電流発生装置は、前記マスク本体に着脱可能に取付けられる。
【００２０】
このような構成とすることで、使用後にマスク本体のみを洗浄することができ、衛生状態を保持することができるため、本美容マスクの利便性が向上する。
【００２１】
本発明の好ましい形態では、前記マスク本体と前記肌面電極とは、別体に構成され、
前記マスク本体には、前記肌面電極が挿通される挿通孔が設けられ、
前記刺激体は、前記肌面電極が設けられ、前記マスク本体に当接される導電パッドを有する。
【００２２】
このような構成とすることで、導電パッドが、使用者の顔面の形状に沿って密着することで、より効果的に電気刺激を付与することが可能となる。
【００２３】
本発明の好ましい形態では、前記導電パッドは、前記マスク本体に当接される面に、前記肌面電極の裏面を覆うことで前記肌面電極と導通する、金属繊維面を含む。
【００２４】
肌面電極の裏面を保護しつつ、導電パッドが、顔面への当接により汚れた場合であっても、通常の布製品と同様に、導電パッドを洗濯機等で簡便に洗浄し、衛生状態を保持することが可能となる。
【００２５】
本発明の好ましい形態では、前記刺激体は、前記電流発生装置を遠隔で制御するリモコン装置を含む。
【００２６】
このような構成とすることで、使用者は、本美容マスクを着用しながら、容易に電流強度等を制御することができ、本美容マスクの利便性が向上する。
【００２７】
また、本発明は、上記した美容マスクの使用方法であって、
前記使用者の顔面に、所定の美容成分が含まれる美容液を塗布する工程と、
前記使用者の顔面を、前記マスク本体で被覆する工程と、
前記刺激体により、前記使用者の頬に対応する部位に、所定の電流強度を有する前記電気刺激を連続的に付与するための施術波を印加する工程と、を含む。
【発明の効果】
【００２８】
本発明によれば、顔面への美容効果を高め、より利便性を向上させることが可能な美容マスク及びその使用方法を提供することができる。
【図面の簡単な説明】
【００２９】
【図１】本発明の実施形態に係るマスク本体を示す正面図である。
【図２】本発明の実施形態に係る刺激体を示す図であって、（ａ）肌面電極、導電パッド及び電流発生装置の正面図、（ｂ）肌面電極、導電パッド及び電流発生装置の背面図、（ｃ）リモコン装置の正面図である。
【図３】本発明の実施形態に係る電流発生装置及びリモコン装置の機能ブロック図である。
【図４】本発明の実施形態に係る美容マスクの使用方法の説明図である。
【図５】本発明の実施形態に係る美容マスクの使用方法の説明図である。
【図６】本発明の実施形態に係る美容マスクを用いた施術時における、施術波の経時的な変化を示す図である。
【図７】本発明の実施形態に係る美容マスクの使用時における処理フローチャートを示す図である。
【図８】本発明の実施形態に係る美容マスクの使用時における処理フローチャートを示す図である。
【発明を実施するための形態】
【００３０】
以下、図面を用いて、本発明の実施形態に係る美容マスクについて説明する。
なお、以下に示す実施形態は本発明の一例であり、本発明を以下の実施形態に限定するものではない。また、これらの図において、符号１は、本実施形態に係る美容マスクを示す。
【００３１】
図１及び図２に示すように、美容マスク１は、使用者Ｘ（図５参照）の顔面Ｘ１（図５参照）の略全域を被覆するマスク本体Ａと、マスク本体Ａに設けられ、使用者Ｘの頬に対応する部位に、所定の電流強度を有する電気刺激を連続的に付与するための施術波Ｗ（図６参照）を印加する刺激体Ｂと、を備えている。
【００３２】
図１に示すように、マスク本体Ａは、マスク本体主部Ａ１と、マスク本体主部Ａ１から左右方向に延設され、使用者Ｘの両耳Ｘ２（図５参照）に係止される一対の耳掛け部Ａ２と、を有している。
なおマスク本体Ａは、例えばシリコン素材等の、肌に優しく、ある程度伸縮性を有する素材で形成することが好ましい。
【００３３】
マスク本体主部Ａ１には、後述する肌面電極Ｂ１が挿通される挿通孔ｈが設けられている。
挿通孔ｈは、肌面電極Ｂ１の数に合わせて、上下に２つ設けられた丸孔を一組として、左右に一対設けられている。
【００３４】
この他、マスク本体主部Ａ１には、使用者Ｘの両目が露出するように開口した両目開口部Ａ１１や使用者Ｘの口が露出するように開口した口開口部Ａ１２、使用者Ｘの鼻の外周に相当する箇所が部分的に切除されることにより形成された鼻当て部Ａ１３が設けられている。
【００３５】
図２に示すように、刺激体Ｂは、顔面Ｘ１に接触する肌面電極Ｂ１と、マスク本体Ａに当接される導電パッドＢ２と、肌面電極Ｂ１に施術波Ｗを印加する電流発生装置Ｍと、電流発生装置Ｍを遠隔で制御するリモコン装置Ｒと、を有している。
なお、使用時においては、導電パッドＢ２及び電流発生装置Ｍは、使用者Ｘの両頬に対応させるために、それぞれ一対用いるが、図２では、一方の導電パッドＢ２及び電流発生装置Ｍのみ示す。
【００３６】
肌面電極Ｂ１は、スナップボタン状に構成されており、各導電パッドＢ２に２つずつ設けられている。
【００３７】
各導電パッドＢ２は、マスク本体Ａと同様に、ナイロン素材等の、肌に優しく、ある程度伸縮性を有する素材を用いて、略楕円状に構成されている。
また、各導電パッドＢ２は、その裏面（マスク本体Ａと当接する面）に、各肌面電極Ｂ１と導通する一対の金属繊維面Ｂ２１を含む。
なお、各金属繊維面Ｂ２１は、例えば銀繊維により構成される。
【００３８】
各電流発生装置Ｍは、施術波Ｗの印加における所定の処理を行う処理手段Ｐ（図４参照）と、肌面電極Ｂ１に取付けられる装置側電極Ｍ１と、装置側電極Ｍ１に施術波Ｗを印加するための操作信号を発信する操作手段Ｍ２と、装置側電極Ｍ１に付与されている電気刺激の電流強度を表示する表示手段Ｍ３と、通知手段Ｍ４と、通信手段Ｍ５（図４参照）と、を含む。
なお、リモコン装置Ｒにも、上記した操作手段Ｍ２や表示手段Ｍ３、通信手段Ｍ５、操作手段Ｍ２による操作信号等を処理する処理手段（図示せず）が設けられている。
【００３９】
また、各電流発生装置Ｍ及びリモコン装置Ｒは、内部にボタン電池が内蔵されており、それぞれの筐体を分解することで、任意にボタン電池を着脱可能に構成されている。特に、各電流発生装置Ｍには、その裏面に蓋部ｍが設けられており、これを取外すことで、容易にボタン電池を着脱することができる。
なお、各電流発生装置Ｍ及びリモコン装置Ｒは、必ずしも電池駆動式とする必要はなく、充電式バッテリーを内蔵することで充電式としても良い。
【００４０】
処理手段Ｐは、特に図３に示すように、波形可変手段Ｐ１と、リセット手段Ｐ２と、検知手段Ｐ３と、を含む。
【００４１】
波形可変手段Ｐ１は、施術の時間経過に伴い、施術波Ｗの波形を可変させる。
【００４２】
リセット手段Ｐ２は、後続施術波Ｗ２（図７参照）の出力時に、強度可変手段Ｍ２１により電流強度が可変されると、電流強度を、予め設定された複数の段階の内の、最小の段階（表示手段Ｍ３においてＬＥＤが１つのみ点灯する段階）に設定された電流強度に可変する。
【００４３】
検知手段Ｐ３は、各金属繊維面Ｂ２１及びこれと導通する各肌面電極Ｂ１を介して、顔面Ｘ１への接触の有無を検知する。
【００４４】
装置側電極Ｍ１は、各肌面電極Ｂ１に嵌合するスナップソケット状に構成されている。
【００４５】
操作手段Ｍ２は、電流強度を可変可能とする強度可変手段Ｍ２１と、各電流発生装置Ｍの電源のＯＮ／ＯＦＦを切り替える電源部Ｍ２２と、を含む。
また、操作手段Ｍ２は、電流強度を、複数の段階に可変可能に構成されており、複数の段階には、それぞれに所定の電流強度が設定されている。
なお、本実施形態では、電流強度を５段階で可変可能としているが、これに限られず、４段階以下或いは６段階以上で可変可能に構成しても良い。
【００４６】
強度可変手段Ｍ２１は、電流強度を増大或いは減少させる２つの物理ボタンとして、各電流発生装置Ｍ及びリモコン装置Ｒに、それぞれ設けられている。
なお、強度可変手段Ｍ２１は、美容液を用いたイオン導入を行うために、０．２〜１．２ｍＡ程度の範囲を含めて、電流強度を可変可能とすることが好ましい。例えば、１段階目や２段階目で、上記範囲の微弱電流による電気刺激が付与される構成とすることができる。
【００４７】
電源部Ｍ２２は、各電流発生装置Ｍにおいては、強度可変手段Ｍ２１が兼用している。即ち、例えば、強度可変手段Ｍ２１である一方の物理ボタンが長押しされることで、電源がＯＮとなり、他方の物理ボタンが長押しされることで、電源がＯＦＦとなる構成となされている。
また、電源部Ｍ２２は、リモコン装置Ｒにおいては、強度可変手段Ｍ２１と異なる物理ボタンとして設けられている。
なお、強度可変手段Ｍ２１や電源部Ｍ２２は、必ずしも物理ボタンである必要はなく、静電容量式センサ等を用いて、タッチパネル式に構成しても良い。
【００４８】
表示手段Ｍ３は、設定された段階に応じて順次点灯する、５つのＬＥＤライトとして、各電流発生装置Ｍ及びリモコン装置Ｒに、それぞれ設けられている。
【００４９】
通知手段Ｍ４は、スピーカであり、検知手段Ｐ３により、肌面電極Ｂ１が顔面Ｘ１に接触していないことが検知された場合に、所定の通知音を発報する。
【００５０】
通信手段Ｍ５は、各電流発生装置Ｍ及びリモコン装置Ｒにそれぞれに設けられ、リモコン装置Ｒの操作手段Ｍ２による操作信号の送受信等を行う。
【００５１】
以下、図４及び図５を用いて、美容マスク１の使用方法について説明する。
【００５２】
まず、使用者Ｘは、図４（ａ）に示すように、各挿通孔ｈに、各肌面電極Ｂ１を挿通させることで、各導電パッドＢ２を、マスク本体主部Ａ１の裏面に当接させる。
【００５３】
次に、使用者Ｘは、図４（ｂ）に示すように、各肌面電極Ｂ１に各装置側電極Ｍ１を嵌合させることで、マスク本体主部Ａ１の表面に、各電流発生装置Ｍを取付ける。
【００５４】
次に、使用者Ｘは、顔面Ｘ１に、所定の美容成分が含まれる美容液（図示せず）を塗布する。
【００５５】
次に、使用者Ｘは、両耳Ｘ２に、一対の耳掛け部Ａ２を係止させ、顔面Ｘ１を、マスク本体Ａで被覆することで、図５に示す状態とする。
なお、使用者Ｘは、顔面Ｘ１をマスク本体Ａで被覆する前に、まず市販の美容パックで顔面Ｘ１を被覆し、この上からマスク本体Ａを取付けても良い。
【００５６】
次に、使用者Ｘは、各電流発生装置Ｍ或いはリモコン装置Ｒの電源部Ｍ２２を用いて、各電流発生装置Ｍの電源をＯＮにし、各電流発生装置Ｍ或いはリモコン装置Ｒの強度可変手段Ｍ２１を用いて、各装置側電極Ｍ１に施術波Ｗを印加する。
【００５７】
これにより、施術波Ｗが、各装置側電極Ｍ１に嵌め込まれた肌面電極Ｂ１と、肌面電極Ｂ１を覆う金属繊維面Ｂ２１と、を介して、使用者Ｘの頬に対応する部位に印加されることで、顔面Ｘ１全体への施術が開始される。
なお、施術波Ｗは、使用者が強度可変手段Ｍ２１により、電流強度を増加させる操作を行った時点で、上記部位に印加される。
【００５８】
ここで、美容マスク１を用いた施術の開始から終了までにおける、時系列に沿った刺激体Ｂ（処理手段Ｐ）の挙動を、図６を用いて説明する。
【００５９】
まず、施術が開始されると、処理手段Ｐにより、初期施術波Ｗ１が所定の時間（初期施術時間ｔ１と称する）継続して、上記部位に印加される。
そして、初期施術時間ｔ１の経過後、処理手段Ｐが、波形可変手段Ｐ１により、初期施術波Ｗ１を後続施術波Ｗ２に可変することで、後続施術波Ｗ２が所定の時間（後続施術時間ｔ２と称する）継続して、上記部位に印加される。
なお、初期施術時間ｔ１は、例えば１分３０秒、後続施術時間ｔ２は、例えば１０分３０秒とすることができ、初期施術時間ｔ１は、後続施術時間ｔ２よりも短く設定されることが好ましい。
【００６０】
また、図６の丸枠内に示すように、初期施術波Ｗ１により付与される単位時間当たりの電気刺激の回数は、後続施術波Ｗ２により付与される単位時間当たりの電気刺激の回数よりも、少なく構成されている。即ち、初期施術波Ｗ１は、後続施術波Ｗ２と比較して、低い周波数が設定されている。
このようにすることで、まず、施術の開始時においては、初期施術波Ｗ１により緩やかに電気刺激を付与することで、筋肉をある程度ほぐし、顔面Ｘ１を電気刺激に慣れさせることができる。そして、その後の後続施術波Ｗ２により、より激しく電気刺激を付与することで、確実にリフトアップ等の美容効果を発揮させる流れとなっている。
なお、後続施術波は、本実施形態においては、後続施術波Ｗ２のみであるが、例えば、後続施術波Ｗ２に続いて順次印加される後続施術波Ｗ３、Ｗ４、Ｗ５〜というように、周波数等がそれぞれ異なる、複数の後続施術波により構成されていても良い。また、この場合、後述するバッファ時間ｔｂは、後続施術波Ｗ３が印加されたタイミング以降に設定されていても良い。
【００６１】
また、初期施術時間ｔ１の経過後、後続施術波Ｗ２が印加されてからの所定の時間が、バッファ時間ｔｂとして設定されており、使用者は、施術の開始からバッファ時間ｔｂの経過に至るまで、強度可変手段Ｍ２１により、電流強度を自由に可変可能である。
そして、使用者がバッファ時間ｔｂの経過後から施術の終了までの間に、強度可変手段Ｍ２１により電流強度を可変させた場合、処理手段Ｐは、リセット手段Ｐ２により、電流強度を、５段階の内の最小の段階（段階１）に設定された電流強度に可変する。
なお、バッファ時間ｔｂは、例えば３０秒とすることができる。
【００６２】
ここで、美容マスク１を用いた施術の開始から終了までにおける、処理手段Ｐにより実行される処理の流れを、図７及び図８を用いて説明する。
【００６３】
まず、処理手段Ｐは、電源部Ｍ２２により各電流発生装置Ｍの電源がＯＮにされた後（ステップＳ１）、検知手段Ｐ３により、肌面電極Ｂ１の接触の有無を検知する（ステップＳ２）。
【００６４】
ステップＳ２において、肌面電極Ｂ１の接触が検知されない場合、処理手段Ｐは、通知手段Ｍ４に通知音を発報させる（ステップＳ３）。
【００６５】
また、処理手段Ｐは、肌面電極Ｂ１の接触の有無を検知すると共に、予め設定された強制終了時間の経過の有無を判断する（ステップＳ４）。
強制終了時間が経過した場合、処理手段Ｐは、各電流発生装置Ｍの電源をＯＦＦにする（ステップＳ５）。
強制終了時間が経過していない場合、通知音が継続して発報される。
なお、強制終了時間は、例えば１分とすることができる。
【００６６】
ステップＳ２において、肌面電極Ｂ１の接触が検知された場合、処理手段Ｐは、通知音の発報を停止し、強度可変手段Ｍ２１により電流強度を増加させる操作の有無を判断する（ステップＳ６）。
【００６７】
ステップＳ６において、上記操作がなされた場合、処理手段Ｐは、装置側電極Ｍ１に初期施術波Ｗ１を印加する（ステップＳ７）。
なお、上記操作がなされない場合、上記操作がなされるまで、待機状態となる。
【００６８】
ステップＳ７の後、処理手段Ｐは、初期施術時間ｔ１中の、強度可変手段Ｍ２１の操作の有無を判断する（ステップＳ８）。
【００６９】
ステップＳ８において、強度可変手段Ｍ２１が操作された場合、処理手段Ｐは、操作信号に従って初期施術波Ｗ１の電流強度を可変する（ステップＳ９）。
【００７０】
また、処理手段Ｐは、初期施術時間ｔ１中の強度可変手段Ｍ２１の操作の有無と共に、初期施術時間ｔ１が経過したか否かを判断する（ステップＳ１０）。
【００７１】
ステップＳ１０において、初期施術時間ｔ１が経過した場合、処理手段Ｐは、波形可変手段Ｐ１により、装置側電極Ｍ１に後続施術波Ｗ２を印加する（ステップＳ１１）。
なお、初期施術時間ｔ１が経過していない場合、処理手段Ｐは、引き続きステップＳ８、Ｓ９として、強度可変手段Ｍ２１による操作信号を受け付け、初期施術波Ｗ１の電流強度を可変する。
【００７２】
ステップＳ１１の後、処理手段Ｐは、後続施術時間ｔ２におけるバッファ時間ｔｂ中の、強度可変手段Ｍ２１の操作の有無を判断する（ステップＳ１２）。
【００７３】
ステップＳ１２において、強度可変手段Ｍ２１が操作された場合、処理手段Ｐは、操作信号に従って後続施術波Ｗ２の電流強度を可変する（ステップＳ１３）。
【００７４】
また、処理手段Ｐは、後続施術時間ｔ２におけるバッファ時間ｔｂ中の、強度可変手段Ｍ２１の操作の有無と共に、バッファ時間ｔｂが経過したか否かを判断する（ステップＳ１４）。
【００７５】
ステップＳ１４において、バッファ時間ｔｂが経過した場合、処理手段Ｐは、後続施術時間ｔ２中の、強度可変手段Ｍ２１の操作の有無を判断する（ステップＳ１５）。
なお、バッファ時間ｔｂが経過していない場合、処理手段Ｐは、引き続きステップＳ１２、Ｓ１３として、強度可変手段Ｍ２１による操作信号を受け付け、後続施術波Ｗ２の電流強度を可変する。
【００７６】
ステップＳ１５において、強度可変手段Ｍ２１が操作された場合、処理手段Ｐは、リセット手段Ｐ２により、後続施術波Ｗ２の電流強度を段階１の電流強度に可変し（ステップＳ１６）、この電流強度の後続施術波Ｗ２を印加する（ステップＳ１７）。
【００７７】
ステップＳ１７の後、処理手段Ｐは、後続施術時間ｔ２中の強度可変手段Ｍ２１の操作の有無を判断する（ステップＳ１８）。
【００７８】
ステップＳ１８において、強度可変手段Ｍ２１が操作された場合、処理手段Ｐは、操作信号に従って後続施術波Ｗ２の電流強度を可変する（ステップＳ１９）。
【００７９】
また、処理手段Ｐは、後続施術時間ｔ２中の、強度可変手段Ｍ２１の操作の有無と共に、後続施術時間ｔ２が経過したか否かを判断する（ステップＳ２０）。
【００８０】
ステップＳ２０において、後続施術時間ｔ２が経過した場合、処理手段Ｐは、各電流発生装置Ｍの電源をＯＦＦにする（ステップＳ２１）。
なお、後続施術時間ｔ２が経過していない場合、処理手段Ｐは、引き続きステップＳ１８、Ｓ１９として、強度可変手段Ｍ２１による操作信号を受け付け、後続施術波Ｗ２の電流強度を可変する。
【００８１】
ステップＳ１５において、強度可変手段Ｍ２１が操作されない場合、処理手段Ｐは、後続施術時間ｔ２が経過したか否かを判断する（ステップＳ２２）。
【００８２】
ステップＳ２２において、後続施術時間ｔ２が経過した場合、処理手段Ｐは、各電流発生装置Ｍの電源をＯＦＦにする（ステップＳ２３）。
【００８３】
本実施形態によれば、使用者Ｘの顔面Ｘ１の略全域を被覆するマスク本体Ａを備えることから、美容マスク１を着用することで、刺激体Ｂから付与される電気刺激でもって、美容液やローション等が塗布された顔全体に美容効果を発揮することが可能となる。
【００８４】
また、施術波Ｗが、初期施術波Ｗ１と後続施術波Ｗ２とを含むことで、使用者Ｘは、後続施術波Ｗ２が出力される前に、適切な電流強度に調整することができ、美容マスク１の使用時の安全性が向上する。
【００８５】
また、リセット手段Ｐ２により、電気刺激の付与中に、強度可変手段Ｍ２１の誤操作により急激に高い電流強度に可変される事態を防止することができ、美容マスク１の使用時の安全性が、より向上する。
【００８６】
また、検知手段Ｐ３により、使用者Ｘは、肌面電極Ｂ１が正しく顔面Ｘ１に接触しているか否かを容易に判断できるため、美容マスク１の利便性が向上する。
【００８７】
また、マスク本体Ａが一対の耳掛け部Ａ２を有することで、通常の所謂サージカルマスク等と同様の流れで、簡易に美容マスク１の着脱を行うことができ、美容マスク１の利便性が向上する。
【００８８】
また、電流発生装置Ｍがマスク本体Ａに着脱可能に取付けられることで、使用後にマスク本体Ａのみを洗浄することができ、衛生状態を保持することができるため、美容マスク１の利便性が向上する。
【００８９】
また、刺激体Ｂが導電パッドＢ２を有することで、導電パッドＢ２が、顔面Ｘ１の形状に沿って密着することで、より効果的に電気刺激を付与することが可能となる。
【００９０】
また、導電パッドＢ２が金属繊維面Ｂ２１を含むことで、肌面電極Ｂ１の裏面を保護しつつ、導電パッドＢ２を通常の布製品と同様に、洗濯機等で簡便に洗浄し、衛生状態を保持することが可能となる。
【００９１】
また、リモコン装置Ｒにより、使用者Ｘは、美容マスク１を着用しながら、容易に電流強度等を制御することができ、美容マスク１の利便性が向上する。
【００９２】
なお、上述の実施形態において示した各構成部材の諸形状や寸法等は一例であって、設計要求等に基づき種々変更可能である。
【符号の説明】
【００９３】
１      美容マスク
Ａ      マスク本体
Ａ１    マスク本体主部
Ａ１１  両目開口部
Ａ１２  口開口部
Ａ１３  鼻当て部
Ａ２    耳掛け部
Ｂ      刺激体
Ｂ１    肌面電極
Ｂ２    導電パッド
Ｂ２１  金属繊維面
Ｍ      電流発生装置
Ｐ      処理手段
Ｐ１    波形可変手段
Ｐ２    リセット手段
Ｐ３    検知手段
Ｍ１    装置側電極
Ｍ２    操作手段
Ｍ２１  強度可変手段
Ｍ２２  電源部
Ｍ３    表示手段
Ｍ４    通知手段
Ｍ５    通信手段
Ｒ      リモコン装置
Ｗ      施術波
Ｗ１    初期施術波
Ｗ２    後続施術波
Ｘ      使用者
Ｘ１    顔面
Ｘ２    両耳
【要約】
【課題】顔面への美容効果を高め、より利便性を向上させることが可能な美容マスク及びその使用方法を提供する。
【解決手段】使用者Ｘの顔面Ｘ１に装着され、電気刺激による施術を行う美容マスク１であって、使用者Ｘの顔面Ｘ１の略全域を被覆するマスク本体Ａと、マスク本体Ａに設けられ、使用者Ｘの頬に対応する部位に、所定の電流強度を有する電気刺激を連続的に付与するための施術波Ｗを印加する刺激体Ｂと、を備え、刺激体Ｂは、使用者Ｘの顔面Ｘ１に接触する肌面電極Ｂ１と、肌面電極Ｂ１に施術波Ｗを印加する電流発生装置Ｍと、を有し、電流発生装置Ｍは、施術波Ｗの印加における所定の処理を行う処理手段Ｐと、肌面電極Ｂ１に取付けられる装置側電極Ｍ１と、装置側電極Ｍ１に施術波Ｗを印加するための操作信号を発信する操作手段Ｍ２と、を含む。
【選択図】図５【図１】
0006940902.tif 000002
【図２】
0006940902.tif 000003
【図３】
0006940902.tif 000004
【図４】
0006940902.tif 000005
【図５】
0006940902.tif 000006
【図６】
0006940902.tif 000007
【図７】
0006940902.tif 000008
【図８】
0006940902.tif 000009